(57)【要約】【課題】利用者にカードを利用させるために、当該カードの携行の促進を図ること。【解決手段】利用者の所定の操作によって、カードに付随する所定の情報を読み取る読取部４０１と、所定の条件に基づいて、利用者に対して、カードの読取部４０１による読み取りを促す告知部４０２と、告知部４０２によって読み取りを促してから所定時間内に、読取部４０１が所定の情報を読み取ったか否かを判断する判断部４０３と、判断部４０３による判断結果に関する情報を記憶する記憶部４０４と、を備え、利用者にカードの携行の確認をおこない、当該確認に基づいて利用者に所定の情報や特典などを提供する。これにより、当該カードの携行の促進を図ることができる。【選択図】図４
2018097546.tif 000002
【特許請求の範囲】
【請求項１】
利用者の所定の操作によって、カードに付随する所定の情報を読み取る読取部と、
所定の条件に基づいて、前記利用者に対して、前記カードの前記読取部による読み取りを促す告知部と、
前記告知部によって読み取りを促してから所定時間内に、前記読取部が前記所定の情報を読み取ったか否かを判断する判断部と、
前記判断部による判断結果に関する情報を記憶する記憶部と、
を備えたことを特徴とする利用者端末装置。
【請求項２】
利用者端末装置に実行させるカード携帯支援プログラムであって、
前記利用者端末装置に、
所定の条件に基づいて、利用者に対して、当該利用者の所定の操作による、カードに付随する所定の情報の前記利用者端末装置への読み取りを促させ、
読み取りを促してから所定時間内に前記所定の情報が読み取られたか否かを判断させ、
当該判断結果に関する情報を保存させること特徴とするカード携帯支援プログラム。
【請求項３】
前記判断結果に基づいて、前記所定時間内に前記所定の情報を読み取った場合に、所定の宣伝広告情報を前記利用者に提供させることを特徴とする請求項２に記載のカード携帯支援プログラム。
【請求項４】
前記判断結果に基づいて、前記所定時間内に前記所定の情報を読み取らなかった場合に、所定の宣伝広告情報を前記利用者に提供させることを特徴とする請求項２に記載のカード携帯支援プログラム。
【請求項５】
前記判断結果に基づいて、前記利用者に付与するポイントを決定させることを特徴とする請求項２〜４のいずれか一つに記載のカード携帯支援プログラム。
【請求項６】
前記カードに付随する所定の情報の前記利用者端末装置への読み取りの促しは、前記利用者ごとに、ランダムにおこなわせることを特徴とする請求項２〜５のいずれか一つに記載のカード携帯支援プログラム。
【請求項７】
前記カードに付随する所定の情報の前記利用者端末装置への読み取りの促しは、所定の日時になった場合におこなわせることを特徴とする請求項２〜６のいずれか一つに記載のカード携帯支援プログラム。
【請求項８】
前記カードに付随する所定の情報の前記利用者端末装置への読み取りの促しは、前記利用者が所定の場所に至った場合におこなわせることを特徴とする請求項２〜７のいずれか一つに記載の利用者端末装置。
【請求項９】
利用者端末装置を用いたカード携帯支援方法であって、
前記利用者端末装置が、
所定の条件に基づいて、利用者に対して、当該利用者の所定の操作による、カードに付随する所定の情報の前記利用者端末装置への読み取りを促し、
読み取りを促してから所定時間内に前記所定の情報が読み取られたか否かを判断し、当該判断結果に関する情報を保存することを特徴とするカード携帯支援方法。
【発明の詳細な説明】
【技術分野】
【０００１】
この発明は、利用者におけるカードの携帯を支援する利用者端末装置、カード携帯支援プログラムおよびカード携帯支援方法に関する。
【背景技術】
【０００２】
一般的に、一人で複数枚のカードを保有している場合がほとんどであり、財布に収納する枚数は、財布の容量などで決まるため、全てのカードを常に持ち歩くことはできない。したがって、利用者がどのカードを携行し（持ち歩き）、どのカードを携行しない（持ち歩かない）かをそれぞれ決めている。したがって、昨今、数多くのカードが発行されていることから、利用者が保有していても利用者に携行されないカードが多く存在するのが現状である。
【０００３】
従来、カードの所有者に対して、カードの利用を促進するためのキャンペーンなどの提供は、当該所有者（利用者）の利用実績に基づいて、利用者にあわせておこなっていた。すなわち、各利用者の利用実績によって個人の行動などを把握して、ピンポイントでキャンペーンを提供することが、利用者にとっては効果的であり、それにより、カードの利用促進を図ることができるものである。
【発明の概要】
【発明が解決しようとする課題】
【０００４】
しかしながら、上述した従来の技術は、カードを携行していない利用者は、当然、カードの利用実績が発生しないため、カード利用促進のためのキャンペーンを当該利用者に対して実施することはできないという問題点があった。
【０００５】
この発明は、上述した従来技術による問題点を解消するため、利用者による当該カードの携行の促進し、当該カードの利用の促進を図ることができる利用者端末装置、カード携帯支援プログラムおよびカード携帯支援方法を提供することを目的とする。
【課題を解決するための手段】
【０００６】
上述した課題を解決し、目的を達成するため、この発明にかかる利用者端末装置は、利用者の所定の操作によって、カードに付随する所定の情報を読み取る読取部と、所定の条件に基づいて、前記利用者に対して、前記カードの前記読取部による読み取りを促す告知部と、前記告知部によって読み取りを促してから所定時間内に、前記読取部が前記所定の情報を読み取ったか否かを判断する判断部と、前記判断部による判断結果に関する情報を記憶する記憶部と、を備えたことを特徴とする。
【０００７】
また、この発明にかかるカード携帯支援プログラムは、利用者端末装置に実行させるカード携帯支援プログラムであって、前記利用者端末装置に、所定の条件に基づいて、利用者に対して、当該利用者の所定の操作による、カードに付随する所定の情報の前記利用者端末装置への読み取りを促させ、読み取りを促してから所定時間内に前記所定の情報が読み取られたか否かを判断させ、当該判断結果に関する情報を保存させること特徴とする。
【０００８】
また、この発明にかかるカード携帯支援プログラムは、上記発明において、前記判断結果に基づいて、前記所定時間内に前記所定の情報を読み取った場合に、所定の宣伝広告情報を前記利用者に提供させることを特徴とする。
【０００９】
また、この発明にかかるカード携帯支援プログラムは、上記発明において、前記判断結果に基づいて、前記所定時間内に前記所定の情報を読み取らなかった場合に、所定の宣伝広告情報を前記利用者に提供させることを特徴とする。
【００１０】
また、この発明にかかるカード携帯支援プログラムは、上記発明において、前記判断結果に基づいて、前記利用者に付与するポイントを決定させることを特徴とする。
【００１１】
また、この発明にかかるカード携帯支援プログラムは、上記発明において、前記カードに付随する所定の情報の前記利用者端末装置への読み取りの促しは、前記利用者ごとに、ランダムにおこなわせることを特徴とする。
【００１２】
また、この発明にかかるカード携帯支援プログラムは、上記発明において、前記カードに付随する所定の情報の前記利用者端末装置への読み取りの促しは、所定の日時になった場合におこなわせることを特徴とする。
【００１３】
また、この発明にかかるカード携帯支援プログラムは、上記発明において、前記カードに付随する所定の情報の前記利用者端末装置への読み取りの促しは、前記利用者が所定の場所に至った場合におこなわせることを特徴とする。
【００１４】
また、この発明にかかるカード携帯支援方法は、利用者端末装置を用いたカード携帯支援方法であって、前記利用者端末装置が、所定の条件に基づいて、利用者に対して、当該利用者の所定の操作による、カードに付随する所定の情報の前記利用者端末装置への読み取りを促し、読み取りを促してから所定時間内に前記所定の情報が読み取られたか否かを判断し、当該判断結果に関する情報を保存することを特徴とする。
【発明の効果】
【００１５】
この発明にかかる利用者端末装置、カード携帯支援プログラムおよびカード携帯支援方法によれば、利用者にカードの携行の確認をおこない、当該確認に基づいて利用者に所定の情報や特典などを提供することで、利用者による当該カードの携行の促進、ひいては当該カードの利用の促進を図ることができるという効果を奏する。
【図面の簡単な説明】
【００１６】
【図１】この発明にかかる実施の形態の利用者端末装置を含むカード携帯支援システムのシステム構成を示す説明図である。
【図２Ａ】この発明にかかる実施の形態の利用者端末装置が接続されるカード携帯支援システムのサーバを実現するコンピュータ装置のハードウエア構成の一例を示すブロック図である。
【図２Ｂ】この発明にかかる実施の形態の利用者端末装置を実現するコンピュータ装置のハードウエア構成の一例を示すブロック図である。
【図２Ｃ】この発明にかかる実施の形態の利用者端末装置を含むカード携帯支援システムに接続された各種データベースの内容の一例を示す説明図である。
【図３Ａ】この発明にかかる実施の形態の利用者端末装置に読み取りをさせるカードの一例（表面）を示す説明図である。
【図３Ｂ】この発明にかかる実施の形態の利用者端末装置に読み取りをさせるカードの一例（裏面）を示す説明図である。
【図４】この発明にかかる実施の形態の利用者端末装置の機能的構成を示すブロック図である。
【図５】この発明にかかる実施の形態の利用者端末装置の処理手順の一例を示すフローチャートである。
【図６Ａ】この発明にかかる実施の形態の利用者端末装置の処理手順の別の一例を示すフローチャートである。
【図６Ｂ】この発明にかかる実施の形態の利用者端末装置に接続されるサーバの処理手順の一例を示すフローチャートである。
【図７】この発明にかかる実施の形態における、カード情報の読み取りを促す「所定の条件」の判断に関する処理手順の一例を示すフローチャートである。
【図８Ａ】この発明にかかる実施の形態の利用者端末装置を含むカード携帯支援システムに接続された利用者データベースの内容の一例を示す説明図である。
【図８Ｂ】この発明にかかる実施の形態の利用者端末装置を含むカード携帯支援システムに接続された告知条件データベースの内容の一例を示す説明図である。
【図８Ｃ】この発明にかかる実施の形態の利用者端末装置を含むカード携帯支援システムに接続された読取実績データベースの内容の一例を示す説明図である。
【図８Ｄ】この発明にかかる実施の形態の利用者端末装置を含むカード携帯支援システムに接続された宣伝広告情報データベースの内容の一例を示す説明図である。
【図８Ｅ】この発明にかかる実施の形態の利用者端末装置を含むカード携帯支援システムに接続されたポイント履歴データベースの内容の一例を示す説明図である。
【図９】この発明にかかる実施例の利用者端末装置の表示画面の一例を示す説明図（その１）である。
【図１０】この発明にかかる実施の形態の利用者端末装置の表示画面の一例を示す説明図（その２）である。
【図１１】この発明にかかる実施の形態の利用者端末装置の表示画面の一例を示す説明図（その３）である。
【図１２】この発明にかかる実施の形態の利用者端末装置の表示画面の一例を示す説明図（その４）である。
【図１３】この発明にかかる実施の形態の利用者端末装置の表示画面の一例を示す説明図（その５）である。
【図１４】この発明にかかる実施の形態の利用者端末装置の表示画面の一例を示す説明図（その６）である。
【発明を実施するための形態】
【００１７】
以下に添付図面を参照して、この発明にかかる利用者端末装置、カード携帯支援プログラムおよびカード携帯支援方法の好適な実施の形態を詳細に説明する。
【００１８】
（カード携帯支援システムのシステム構成）
まず、この発明にかかる実施の形態のカード携帯支援システムのシステム構成について説明する。図１は、この発明にかかる実施の形態の利用者端末装置を含むカード携帯支援システムのシステム構成を示す説明図である。
【００１９】
図１において、カード携帯支援システム１００は、サーバ１０１と、利用者端末装置１０２と、カード会社サーバ１０３と、各種データベース１０４とが、たとえばインターネットなどのネットワーク１１０を介して相互に通信可能に接続されている。また、１０５は、利用者端末装置１０２によって、所定の情報の読み取りをさせる、利用者が所有するカードを示している。
【００２０】
サーバ１０１は、このカード携帯支援システム１００全体の制御をおこなう。サーバ１０１は、ネットワーク１１０に接続された利用者端末装置１０２、カード会社サーバ１０３、各種データベース１０４との間で通信する。サーバ１０１の詳細については、後述する図２Ａを用いて詳細に説明する。
【００２１】
利用者端末装置１０２は、このカード携帯支援システム１００を利用する利用者が所持する携帯型の情報処理端末装置である。利用者端末装置１０２は、具体的には、たとえば、スマートフォン、タブレット端末、ノート型パーソナルコンピュータ、携帯電話などのネットワーク１１０に接続可能である可搬可能な情報処理装置（コンピュータ装置）である。利用者端末装置１０２の詳細については、後述する図２Ｂを用いて詳細に説明する。
【００２２】
カード会社サーバ１０３は、たとえば、クレジットカードを用いた決済（カード決済）を実現するカード決済システムに用いるクレジットカードを発行するカード発行会社などによって管理されるコンピュータ装置によって実現することができる。
【００２３】
カード会社サーバ１０３は、たとえば、カード加盟店からの決済情報の通知を受ける加盟店管理会社（アクワイアラ）によって管理されるコンピュータ装置であってもよい。カード会社サーバは、所定の記憶領域に、カード決済の実行にかかる各種の情報を格納している。
【００２４】
各種データベース１０４は、このカード携帯支援システム１００に用いられる各種の情報を格納している。各種データベース１０４の詳細については、後述する図８Ａ〜図８Ｅにおいて詳細に説明する。
【００２５】
各種データベース１０４の全部または一部は、図１に示したように、他の装置から独立して、ネットワーク１１０に接続されていてもよい。また、図示は省略するが、各種データベース１０４の全部または一部を他の装置、すなわち、サーバ１０１、利用者端末装置１０２、カード会社サーバ１０３のいずれかの装置内に、まとめてあるいは分散して設けるようにしてもよい。
【００２６】
カード１０５は、商取引において決済可能な機能を備えたカードである。カード１０５は、具体的には、たとえば、クレジットカード、デビットカード、ポイントカード、その他のカード全般を含むものである。カード１０５の詳細については、後述する図３Ａおよび図３Ｂを用いて詳細に説明する。
【００２７】
（サーバ１０１のハードウエア構成の一例）
つぎに、サーバ１０１のハードウエアについて、その具体的な構成の一例を説明する。図２Ａは、この発明にかかる実施の形態の利用者端末装置１０２が接続されるカード携帯支援システム１００のサーバ１０１を実現するコンピュータ装置のハードウエア構成の一例を示すブロック図である。
【００２８】
図２Ａにおいて、サーバ１０１を実現するコンピュータ装置は、ＣＰＵ（Ｃｅｎｔｒａｌ  Ｐｒｏｃｅｓｓｉｎｇ  Ｕｎｉｔ）２１１と、メモリ２１２と、通信ＩＦ（Ｉｎｔｅｒｆａｃｅ）２１３と、を備えている。コンピュータ装置が備える各部２１１〜２１３は、バス２１０によってそれぞれ接続されている。ＣＰＵ２１１は、コンピュータ装置の全体の制御をつかさどる。
【００２９】
メモリ２１２は、ブートプログラムなどの１プログラムや各種のデータベースを構成するデータなどを記憶している。また、メモリ２１２は、この発明にかかる実施の形態のカード携帯支援プログラムや各種データベース１０４の一部のデータなど、カード携帯支援サービスの提供にかかる各種のプログラムやデータを記憶している。
【００３０】
また、メモリ２１２は、ＣＰＵ２１１のワークエリアとして使用される。メモリ２１２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）およびＨＤ（Ｈａｒｄ  Ｄｉｓｃ）などによって実現することができる。
【００３１】
通信ＩＦ２１３は、ネットワーク１１０に接続され、コンピュータ装置の内部と、利用者端末装置１０２やカード会社サーバ１０３などの外部装置とのインターフェイスをつかさどる。具体的には、通信ＩＦ２１３は、コンピュータ装置の内部と外部装置との間におけるデータの入出力を制御する。
【００３２】
なお、カード会社サーバ１０３のハードウエア構成は、上述したサーバ１０１のハードウエア構成とほぼ同じであればよいので、その詳細な説明は省略する。また、サーバ１０１とカード会社サーバ１０３は、一つのサーバによってそれぞれの機能を備えるように構成されていてもよい。
【００３３】
（利用者端末装置１０２のハードウエア構成の一例）
つぎに、この発明にかかる実施の形態の利用者端末装置１０２のハードウエアについて、その具体的な構成の一例を説明する。図２Ｂは、この発明にかかる実施の形態の利用者端末装置１０２を実現するコンピュータ装置のハードウエア構成の一例を示すブロック図である。
【００３４】
図２Ｂにおいて、利用者端末装置１０２は、ＣＰＵ２２１と、メモリ２２２と、ＧＰＳ２２３と、出力デバイス２２４と、入力デバイス２２５と、通信ＩＦ２２６と、を備えている。また、利用者端末装置１０２が備える各部２２１〜２２６は、バス２２０によってそれぞれ接続されている。
【００３５】
ＣＰＵ２２１は、利用者端末装置１０２の全体の制御をつかさどる。ＣＰＵ２２１は、メモリ２２２が記憶する各種のプログラムやデータを用いて、利用者端末装置１０２の全体の制御をつかさどる。メモリ２２２は、ハードディスクやフラッシュメモリなどによって実現することができる。
【００３６】
ＧＰＳ（Ｇｌｏｂａｌ  Ｐｏｓｉｔｉｏｎｉｎｇ  Ｓｙｓｔｅｍ）２２３は、ＧＰＳ衛星からの電波を受信し、ＧＰＳ衛星と利用者端末装置１０２との幾何学的位置を求めるものであり、ＧＰＳを利用することによって地球上どこでも利用者端末装置１０２の現在位置を計測することができる。
【００３７】
具体的には、たとえばＧＰＳ２２３において用いられる電波は、１．５７５．４２ＭＨｚの搬送波で、Ｃ／Ａ（Ｃｏａｒｓｅ  ａｎｄ  Ａｃｃｅｓｓ）コードおよび航法メッセージがのっているＬ１電波を用いておこなわれる。Ｃ／Ａコードはビット率１．０２３Ｍｂｐｓで、コードの長さは１０２３ｂｉｔ＝１ｍｓである。また、航法メッセージはビット率５０ｂｐｓで、コードの長さは、サブフレームが３００ｂｉｔ＝６ｓであり、メインフレームが１５００ｂｉｔ＝３０ｓであり、５サブフレームが１メインフレームであり、２５メインフレームが１マスターフレームである。
【００３８】
出力デバイスは、たとえば、ディスプレイ、スピーカ、バイブレータ、音声出力端子などを含む。スピーカは、操作内容や、利用者に対する案内情報などを表示する。ディスプレイ２２４は、カード携帯支援サービスの利用にかかる各種の操作画面を表示する。ディスプレイ２２４は、たとえば、主に液晶ディスプレイや有機ＥＬ（Ｅｌｅｃｔｒｏ−Ｌｕｍｉｎｅｓｃｅｎｃｅ）ディスプレイなどによって実現することができる。
【００３９】
具体的には、たとえば、液晶パネルによって実現されるディスプレイは、透明電極が組み込まれた一対のガラス基板によって液晶材料（液晶分子）を挟み、このガラス基板に偏光フィルタを設けることによって構成されている。液晶パネルは、電極に電圧を加えて液晶分子の向きを変化させることによって、ガラス基板を透過する光の状態を制御する。また、液晶パネルは、光源として、バックライトを備えている。これにより自らは発光しない液晶分子が表示する画像を照明することができる。
【００４０】
また、スピーカは、音声、アラーム音などを出力する。音声出力端子は、ヘッドフォーンなどを接続する端子であり、スピーカと同様に、音声、アラーム音などを接続されたヘッドフォーンなどに出力する。バイブレータは、振動モータが回転することによって、音声、アラーム音を発することなく、利用者に所定の情報の伝達をする。
【００４１】
入力デバイス２２５は、文字、数値、各種指示などの入力のためのキーを備え、データ入力をおこなう。入力デバイス２２５は、たとえば、タッチパネルやキーボードなどによって実現することができる。タッチパネルやキーボードなどによって実現される入力デバイス２２５は、当該入力デバイス２２５に対する入力操作に応じた信号をＣＰＵ２２１に対して出力する。
【００４２】
入力デバイス２２５をタッチパネルによって実現する場合、当該タッチパネルは、ディスプレイの表示面側に積層される。タッチパネルは、指やペンなどの筆記部材が接触したことを検出した場合に、タッチパネルに対する筆記部材の接触位置に応じた電気信号を出力する。タッチパネルは、たとえば抵抗膜方式や静電容量方式、音響パルス認識方式、超音波表面弾性波方式、赤外遮光方式、画像認識方式など公知の各種の方式のものを用いることができる。
【００４３】
また、入力デバイス２２５は、カメラであってもよい。カメラは、ＣＰＵ２２１によって制御されて撮像対象を撮像し、画像データを生成したり、バーコード、ＱＲコード（登録商標）や、たとえばＯＣＲ機能などを用いて撮影された文字をデータ化して入力することができる。
【００４４】
具体的には、当該カメラを用いて、カード１０５の全体あるいはカード１０５の所定の一部（バーコードなどの部分）を撮影する。そして、当該カメラによって撮影されて、生成された画像データは、ＣＰＵ２２１に出力され、また、通信ＩＦ２２６を介してサーバ１０１へ送信される。
【００４５】
また、入力デバイス２２５は、カード１０５に内蔵されているＲＦＩＤタグを読み取るＲＦＩＤタグリーダーであってもよい。その他、入力デバイス２２５は、接触または非接触によりカード１０５のデータを読み取るリーダーであってもよい。
【００４６】
また、入力デバイス２２５は、図示を省略するマイクであってもよい。マイクは、アナログデータとして入力された話者の声をアナログ／デジタル変換し、デジタル形式の音声データを生成する。マイクを用いることにより、利用者は、利用者端末装置１０２を介して、タッチパネルやキーボードを用いる代わりに、文字などの入力をおこなうことができる。
【００４７】
マイクは、利用者端末装置１０２に位置固定された形態であってもよく、コードを介して利用者端末装置１０２の本体に接続されて利用者の口元に近づけて使用することができる形態であってもよい。
【００４８】
通信ＩＦ２２６は、利用者端末装置１０２の内部と、利用者端末装置１０２の外部（たとえばサーバ１０１など）との通信をする際のインターフェイスをつかさどる。また、通信ＩＦ２２６は、電話回線網に接続され、音声通信に際して用いられるようにしてもよい。
【００４９】
そのほか、利用者端末装置１０２は、図示は省略するが、スピーカなどを含む通話機能、通信機能など、たとえば、スマートフォンなどの情報処理装置としての機能を備えている。
【００５０】
（各種データベース１０４の内容の一例）
つぎに、各種データベース１０４の内容の一例について説明する。図２Ｃは、この発明にかかる実施の形態の利用者端末装置１０２を含むカード携帯支援システム１００に接続された各種データベース１０４の内容の一例を示す説明図である。
【００５１】
図２Ｃにおいて、各種データベース１０４には、たとえば、利用者データベース２３１、告知条件データベース２３２、読取実績データベース２３３、宣伝広告情報データベース２３４、ポイント履歴データベース２３５の各データベースを含む。各データベース２３１〜２３５の詳細な内容については、図８Ａ〜図８Ｅを用いて後述する。
【００５２】
（カードの構成の一例）
図３Ａは、この発明にかかる実施の形態の利用者端末装置に読み取りをさせるカードの一例（表面）を示す説明図であり、図３Ｂは、このカードの一例（裏面）を示す説明図である。
【００５３】
図３Ａおよび図３Ｂにおいては、カード１０５の一例として、クレジットカードの外観を示している。カード１０５の寸法は、たとえば、縦５３．９８ｍｍ、横８５．６０ｍｍ、厚さ０．７６ｍｍであるが、それには限定されない。
【００５４】
図３Ａにおいて、カード１０５の表側は、ＩＣチップ３０１と、エンボスによる会員番号表記３０２と、エンボスによる有効期限表記３０３と、エンボスによる利用者（契約者）の氏名（アルファベット）表記３０４と、ホログラム３０５とを備えている。
【００５５】
また、図３Ｂにおいて、カード１０５の裏側は、磁気ストライプ３１１、ＱＲコード（バーコード）３１２のほか、図示を省略するサイン欄、セキュリティーコードなどを備えている。また、カード１０５には、その他、図３Ａおよび図３Ｂにおいて図示は省略するが、ＲＦＩＤタグなどが内蔵されていてもよい。
【００５６】
（利用者端末装置１０２の機能的構成）
つぎに、利用者端末装置１０２の機能的構成について説明する。図４は、この発明にかかる実施の形態の利用者端末装置１０２の機能的構成を示すブロック図である。図４において、利用者端末装置１０２の機能は、読取部４０１と、告知部４０２と、判断部４０３と、記憶部４０４と、宣伝広告情報提供部４０５と、付与ポイント決定部４０６と、によって実現することができる。
【００５７】
読取部４０１は、利用者の所定の操作によって、カード１０５に付随する所定の情報を読み取る。この実施の形態においては、図２Ｂに示した、利用者端末装置１０２を実現するコンピュータ装置が備えるＣＰＵ２２１、メモリ２２２、入力デバイス２２５などによって、この発明にかかる読取部４０１の機能を実現することができる。
【００５８】
カード１０５に付随する所定の情報とは、たとえば、ＩＣチップ３０１、ＱＲコード３１２、ＲＦＩＤタグに記憶されている情報、磁気ストライプ３１１に記録されている情報、ホログラム３０５、会員番号表記３０２、有効期限表記３０３、利用者（契約者）の氏名（アルファベット）表記３０４にかかるエンボスによる英数字、印刷された英数字や漢字を含む文字などを含む。
【００５９】
告知部４０２は、所定の条件に基づいて、利用者に対して、カード１０５の読取部４０１による読み取りを促す。読み取りを促す方法は、たとえば、利用者端末装置１０２の表示画面に表示したり、アラームをならしたり、バイブレーションによって知らせたりしてもよい。
【００６０】
所定の条件とは、たとえば、あらかじめ定められた所定の日時に関する条件であったり、あらかじめ定められた所定の場所（緯度経度情報あるいは駅や建物などのランドマーク）に関する条件であってもよい。また、それらの条件の組み合わせであってもよい。したがって、告知部４０２は、カード１０５に付随する所定の情報の利用者端末装置１０２への読み取りの促しは、所定の日時になった場合におこなわせるようにしてもよい。所定の日時とは、具体的には、宣伝広告主の店舗の営業時間であってもよい。また、所定の日時を利用者の要求により決定してもよい。
【００６１】
また、告知部４０２は、カード１０５に付随する所定の情報の利用者端末装置１０２への読み取りの促しは、利用者が所定の場所に至った場合におこなわせるようにしてもよい。所定の場所とは、具体的には、宣伝広告主の店舗の所在地周辺であったり、宣伝広告主の店舗の最寄り駅周辺であってもよい。
【００６２】
また、告知部４０２は、カード１０５に付随する所定の情報の利用者端末装置１０２への読み取りの促しは、あらかじめ定められた日時または場所によっておこなわせる代わりに、利用者ごとに、ランダムにおこなわせるようにしてもよい。したがって、その場合には、利用者はいつ、どこで、読み取りの促しがあるかを、あらかじめ知ることができない。そのため、利用者に対して、いつでもカード１０５を携行するように促すことができる。
【００６３】
この実施の形態においては、図２Ｂに示した、利用者端末装置１０２を実現するコンピュータ装置が備えるＣＰＵ２２１、メモリ２２２、出力デバイス２２４などによって、この発明にかかる告知部４０２の機能を実現することができる。
【００６４】
判断部４０３は、告知部４０２によって読み取りを促してから所定時間内に、読取部４０１がカード１０５の所定の情報を読み取ったか否かを判断する。この実施の形態においては、図２Ｂに示した、利用者端末装置１０２を実現するコンピュータ装置が備えるＣＰＵ２２１やメモリ２２２などによって、この発明にかかる判断部４０３の機能を実現することができる。
【００６５】
所定時間は、たとえば、告知があってから、利用者がカード１０５を取り出し、利用者端末装置１０２に読み取らせる操作に必要な時間である。具体的には、たとえば、「３０秒」、「１分」などである。所定時間に読み取られなかった場合は、一定時間後に、再度促すようにしてもよい。その際の所定時間は、上記所定時間と同じ時間でもよく、また、上記所定時間よりも長くまたは短くてもよい。
【００６６】
記憶部４０４は、判断部４０３による判断結果に関する情報を記憶する。ここで、判断結果に関する情報とは、「読み取りがあった」、「読み取りが成功した」、「読み取りがなかった」、「読み取りが失敗した」などの情報である。
【００６７】
この実施の形態においては、図２Ｂに示した、利用者端末装置１０２を実現するコンピュータ装置が備えるＣＰＵ２２１、メモリ２２２などによって、この発明にかかる記憶部４０４の機能を実現することができる。
【００６８】
なお、この記憶部４０４は、その機能を、利用者端末装置１０２だけではなく、サーバ１０１においても実現するようにしてもよい。また、記憶部４０４の機能を、利用者端末装置１０２に代わって、サーバ１０１において実現するようにしてもよい。
【００６９】
宣伝広告情報提供部４０５は、所定の宣伝広告情報を利用者に提供する。この実施の形態においては、図２Ｂに示した、利用者端末装置１０２を実現するコンピュータ装置が備えるＣＰＵ２２１、メモリ２２２、出力デバイス２２４などによって、この発明にかかる宣伝広告情報提供部４０５の機能を実現することができる。
【００７０】
宣伝広告情報提供部４０５は、判断部４０３による判断結果に基づいて、所定時間内に所定の情報を読み取った場合（読み取りに成功した場合）に、所定の宣伝広告情報を利用者に提供するようにしてもよい。この場合の所定の宣伝広告情報は、たとえば、読み取りがなされたカード１０５を利用することで特典が受けられるなどの情報を含む宣伝広告情報であってもよい。
【００７１】
宣伝広告情報の提供は、読み取りに成功した際におこなってもよく、また、読み取りに成功した際とは別のタイミングでおこなうようにしてもよい。たとえば、利用者が帰宅したであろう夜間の所定の時刻におこなうようにしてもよい。
【００７２】
宣伝広告情報提供部４０５は、判断部４０３による判断結果に基づいて、所定時間内に所定の情報を読み取らなかった場合（読み取りに失敗した場合）に、所定の宣伝広告情報を利用者に提供するようにしてもよい。この場合の所定の宣伝広告情報は、たとえば、読み取った場合（読み取りに成功した場合）と同様に、読み取りがなされたカード１０５を利用することで特典が受けられるなどの情報を含む宣伝広告情報であってもよく、それとは別の宣伝広告情報であってもよい。
【００７３】
宣伝広告情報の提供は、読み取りに失敗した際におこなってもよく、また、読み取りに成功した際とは別のタイミングでおこなうようにしてもよい。たとえば、利用者が帰宅した夜の所定の時刻におこなうようにしてもよい。このように、夜の所定の時刻におこなうことによって、その日、カード１０５を持参していなかった利用者にカードの持参を有効的に促すことが可能となる。
【００７４】
なお、この宣伝広告情報提供部４０５は、その機能を、利用者端末装置１０２に代わって、サーバ１０１において実現するようにしてもよい。その場合は、利用者端末装置１０２は、判断部４０３による判断結果をサーバ１０１へ送信し、サーバ１０１から宣伝広告情報を受信する（後述する図６Ａおよび図６Ｂ参照）。
【００７５】
付与ポイント決定部４０６は、判断部４０３による判断結果に基づいて、利用者に付与するポイントを決定する。この実施の形態においては、図２Ｂに示した、利用者端末装置１０２を実現するコンピュータ装置が備えるＣＰＵ２２１、メモリ２２２、出力デバイス２２４などによって、この発明にかかる付与ポイント決定部４０６の機能を実現することができる。
【００７６】
なお、この付与ポイント決定部４０６は、その機能を、利用者端末装置１０２に代わって、サーバ１０１において実現するようにしてもよい。その場合は、利用者端末装置１０２は、判断部４０３による判断結果をサーバ１０１へ送信し、サーバ１０１から付与ポイント情報を受信する（後述する図６Ａおよび図６Ｂ参照）。
【００７７】
（利用者端末装置１０２の処理手順）
つぎに、利用者端末装置１０２の処理手順について説明する。図５は、この発明にかかる実施の形態の利用者端末装置１０２の処理手順の一例を示すフローチャートである。
【００７８】
図５のフローチャートにおいて、所定の条件を満たしたか否かを判断する（ステップＳ５０１）。所定の条件については、後述する図７において詳細に説明する。ここで、所定の条件が満たされるのを待って（ステップＳ５０１：Ｎｏ）、所定の条件が満たされた場合（ステップＳ５０１：Ｙｅｓ）は、利用者に対してカード情報の読み取りを促す（ステップＳ５０２）。
【００７９】
その後、利用者の操作によるカード情報の読み取りがあったか否かを判断する（ステップＳ５０３）。ここで、カード情報の読み取りがあった場合（ステップＳ５０３：Ｙｅｓ）は、読み取り「有」情報を、記憶部４０４に記憶し（ステップＳ５０４）、ステップＳ５０７へ移行する。
【００８０】
一方、ステップＳ５０３において、カード情報の読み取りがなかった場合（ステップＳ５０３：Ｎｏ）は、読み取りがなかった状態において所定時間が経過したか否かを判断する（ステップＳ５０５）。所定時間が経過するのを待って（ステップＳ５０５：Ｎｏ、ステップＳ５０３：Ｎｏ）、所定時間が経過した場合（ステップＳ５０５：Ｙｅｓ）は、読み取り「無」情報を、記憶部４０４に記憶し（ステップＳ５０６）、ステップＳ５０７へ移行する。
【００８１】
つぎに、ステップＳ５０４またはステップＳ５０６において記憶された読み取り結果に基づいて、宣伝広告情報を利用者に提供する（ステップＳ５０７）。さらに、ステップＳ５０４またはステップＳ５０６において記憶された読み取り結果に基づいて、利用者に対する付与ポイントを決定する（ステップＳ５０８）。その後、ステップＳ５０１へ戻り、ステップＳ５０１〜ステップＳ５０８の各処理を、引き続き、繰り返して実行する。
【００８２】
また、図６Ａは、この発明にかかる実施の形態の利用者端末装置の処理手順の別の一例を示すフローチャートであり、図６Ｂは、この発明にかかる実施の形態の利用者端末装置に接続されるサーバの処理手順の一例を示すフローチャートである。ここでは、利用者端末装置１０２は、図１に示したサーバ１０１と協働して各処理を実行する。
【００８３】
まず、図６Ｂのフローチャートにおいて、サーバ１０１は、所定の条件を満たしたか否かを判断する（ステップＳ６０１）。所定の条件は、具体的には、所定の日時になった場合などである。また、所定の条件は、サーバ１０１において、判断できる条件であれば、ステップＳ５０１における所定の条件と同じであってもよい。
【００８４】
ここで、所定の条件が満たされるのを待って（ステップＳ６０１：Ｎｏ）、所定の条件が満たされた場合（ステップＳ６０１：Ｙｅｓ）は、サーバ１０１は、利用者端末装置１０２に対して、カード情報の読み取りを促す指示情報を送信する（ステップＳ６０２）。
【００８５】
つぎに、図６Ａのフローチャートにおいて、利用者端末装置１０２は、サーバ１０１から、ステップＳ６０２において送信されたカード情報の読み取りを促す指示情報を受信したか否かを判断する（ステップＳ６１１）。ここで、指示情報を受信するのを待って（ステップＳ６１１：Ｎｏ）、受信した場合（ステップＳ６１１：Ｙｅｓ）は、利用者に対してカード情報の読み取りを促す（ステップＳ６１２）。
【００８６】
その後、利用者の操作によるカード情報の読み取りがあったか否かを判断する（ステップＳ６１３）。ここで、カード情報の読み取りがあった場合（ステップＳ６１３：Ｙｅｓ）は、読み取り「有」情報を、記憶部４０４に記憶し（ステップＳ６１４）、ステップＳ６１７へ移行する。
【００８７】
一方、ステップＳ６１３において、カード情報の読み取りがなかった場合（ステップＳ６１３：Ｎｏ）は、読み取りがなかった状態において所定時間が経過したか否かを判断する（ステップＳ６１５）。所定時間が経過するのを待って（ステップＳ６１５：Ｎｏ、ステップＳ６１３：Ｎｏ）、所定時間が経過した場合（ステップＳ６１５：Ｙｅｓ）は、読み取り「無」情報を、記憶部４０４に記憶し、ステップＳ６１７へ移行する。
【００８８】
そして、ステップＳ６１４またはステップＳ６１６において記憶された読み取り結果を、サーバ１０１へ送信する（ステップＳ６１７）。つぎに、図６Ｂのフローチャートにおいて、サーバ１０１は、利用者端末装置１０２から読み取り結果を受信する（ステップＳ６２１）。ステップＳ６２１において受信した読み取り結果に基づいて、宣伝広告情報を利用者端末装置１０２へ送信する（ステップＳ６２２）。
【００８９】
つぎに、図６Ａのフローチャートにおいて、利用者端末装置１０２は、サーバ１０１から宣伝広告情報を受信する（ステップＳ６３１）。そして、ステップＳ６３１において受信した宣伝広告情報を利用者に提供する（ステップＳ６３２）。
【００９０】
また、図６Ｂのフローチャートにおいて、サーバ１０１は、ステップＳ６２１において受信した読み取り結果に基づいて、利用者に付与する付与ポイントを決定し（ステップＳ６４１）、決定した付与ポイントに関する付与ポイント情報を利用者端末装置１０２へ送信する（ステップＳ６４２）。その後、ステップＳ６０１へ戻って、ステップＳ６０１〜ステップＳ６４２の各処理を、引き続き、繰り返し実行する。
【００９１】
一方、図６Ａのフローチャートにおいて、利用者端末装置１０２は、サーバ１０１から付与ポイント情報を受信する（ステップＳ６５１）。そして、図示は省略するが、付与ポイント情報を記憶してもよく、また、付与ポイント情報を利用者に提供してもよい。さらに、記憶された付与ポイント情報とともに累積情報として提供するようにしてもよい。その後、ステップＳ６１１へ戻り、ステップＳ６１１〜ステップＳ６５１の各処理を、引き続き、繰り返して実行する。
【００９２】
つぎに、図５のフローチャートのステップＳ５０１および図６のフローチャートのステップＳ６０１における「所定の条件」を満たすかを判断する処理手順の一例について説明する。図７は、この発明にかかる実施の形態における、カード情報の読み取りを促す「所定の条件」の判断に関する処理手順の一例を示すフローチャートである。
【００９３】
図７のフローチャートにおいて、あらかじめ設定された所定の日時になったか否かを判断する（ステップ７０１）。ここで、所定の日時になった場合（ステップＳ７０１：Ｙｅｓ）は、「所定の条件を満たす：Ｙｅｓ」と判断し（ステップＳ７０２）、一連の処理を終了する。すなわち、図５のフローチャートのステップＳ５０１において、『Ｙｅｓ』と判断し、ステップＳ５０２へ移行する。また、図６ＢのフローチャートのステップＳ６０１において、『Ｙｅｓ』と判断し、ステップＳ６０２へ移行する。
【００９４】
ステップＳ７０１において、所定の日時になっていない場合（ステップＳ７０１：Ｎｏ）は、つぎに、利用者（利用者端末装置１０２）があらかじめ設定された所定の場所に至ったか否かを判断する（ステップＳ７０３）。ここで、所定の場所に至った場合（ステップＳ７０３：Ｙｅｓ）は、「所定の条件を満たす：Ｙｅｓ」と判断し（ステップＳ７０２）、一連の処理を終了する。
【００９５】
ステップＳ７０３において、所定の場所に至っていない場合（ステップＳ７０３：Ｎｏ）は、その他、設定された条件を満たしたか否かを判断する（ステップＳ７０４）。ここで、設定された条件を満たした場合（ステップＳ７０４：Ｙｅｓ）は、「所定の条件を満たす：Ｙｅｓ」と判断し（ステップＳ７０２）、一連の処理を終了する。
【００９６】
一方、ステップＳ７０４において、設定された条件を満たしていない場合（ステップＳ７０４：Ｎｏ）は、「所定の条件を満たす：Ｎｏ」と判断し（ステップＳ７０５）、一連の処理を終了する。すなわち、図５のフローチャートのステップＳ５０１において、『Ｎｏ』と判断する。また、図６ＢのフローチャートのステップＳ６０１において、『Ｎｏ』と判断する。
【００９７】
（各データベースの構成の一例）
つぎに、購入情報の具体的な内容の一例について説明する。図１および図２Ｃに示したように、サーバ１０１、利用者端末装置１０２は、ネットワーク１１０を介して、利用者データベース２３１、告知条件データベース２３２、読取実績データベース２３３、宣伝広告情報データベース２３４、ポイント履歴データベース２３５の各データベースをそれぞれ参照可能である。
【００９８】
図８Ａは、この発明にかかる実施の形態の利用者端末装置１０２を含むカード携帯支援システム１００に接続された利用者データベース２３１の内容の一例を示す説明図である。
【００９９】
図８Ａにおいて、利用者データベース２３１には、利用者別に利用者端末ＩＤ（ユーザＩＤ）が付与され、付与された利用者端末ＩＤ（ユーザＩＤ）ごとに、対象となるカードのカード番号（当該カードの有効期限など、当該カードの基本情報を含む）、利用者のメールアドレス、利用者の自宅住所、利用者の勤務先住所、利用者の保有カード情報、利用者の現在地情報などの情報がそれぞれ格納されている。
【０１００】
各情報は、利用者にあらかじめ入力させることによって取得する。また、利用者の現在地情報は、利用者端末装置１０２のＧＰＳ情報を、あらかじめ定められた所定の時間間隔などで取得する。
【０１０１】
さらに、図示は省略するが、利用者の電話番号その他、利用者に関する情報が格納されていてもよい。利用者データベース２３１に格納されるデータの全部または一部は、たとえば、利用者端末装置１０２を実現するコンピュータ装置が備えるメモリ２２２の所定の記憶領域に設けるようにしてもよい。
【０１０２】
図８Ｂは、この発明にかかる実施の形態の利用者端末装置１０２を含むカード携帯支援システム１００に接続された告知条件データベース２３２の内容の一例を示す説明図である。
【０１０３】
図８Ｂにおいて、告知条件データベース２３２は、利用者すなわち利用者端末ＩＤ（ユーザＩＤ）ごとに、カード１０５の読取部４０１による読み取りを促す告知の条件についての情報が格納されている。告知の条件としては、具体的には、たとえば、各条件番号（条件Ｎｏ．）に対応して、告知を実行する日時に関する情報、告知を実行する場所に関する情報、その他の条件に関する情報を含む。
【０１０４】
告知条件データベース２３２に格納されるデータの全部または一部は、たとえば、利用者端末装置１０２を実現するコンピュータ装置が備えるメモリ２２２の所定の記憶領域に設けるようにしてもよい。
【０１０５】
日時に関する情報は、利用者の全部または一部に共通に設定してもよく、また、利用者ごとに、別々に設定してもよい。たとえば、毎日異なる時刻であってもよく、毎日同時刻であってもよく、また、曜日ごとに設定してもよく、また、平日のある時間帯において、ランダムな時刻であってもよい。また、勤務時間中や通勤時間中などの特定の時間帯を除外するようにしてもよい。
【０１０６】
また、日時に関する情報は、一日の中で、複数回の時刻を設定してもよい。その場合に、読取実績データベース２３３を参照して、読み取りＯＫとなった場合に、同じ日においてそれ以降の日時はキャンセルするようにしてもよい。また、同様に、読取実績データベース２３３を参照して、読み取りＮＧとなった場合に、つぎの告知時刻を変更するようにしてもよい。
【０１０７】
具体的には、読み取りＮＧとなった場合に、つぎの告知時刻を早めるようにしてもよく、また、読み取りＮＧが所定回数連続した場合には、それ以降の日時はキャンセルするようにしてもよい。
【０１０８】
また、日時に関する情報は、利用者からのリクエストに応じて設定するようにしてもよい。その場合でも、リクエストによる告知日時のほかに、ランダムに告知日時を設定するようにしてよい。
【０１０９】
場所に関する情報は、利用者の全部または一部に共通に設定してもよく、また、利用者ごとに、別々に設定してもよい。場所に関する情報は、具体的に緯度経度情報であってもよく、また、「新宿駅周辺」など、ランドマークを中心として、所定の距離の範囲内としてもよい。
【０１１０】
告知場所については、利用者の自宅、勤務先、通勤経路（利用する交通機関の駅）などを参考に決定するようにしてもよい。また、告知場所については、利用者の過去のカードの利用店舗履歴に基づいて決定するようにしてもよい。
【０１１１】
具体的には、場所に関する情報は、利用者の過去のカードの利用店舗履歴に基づいて、当該利用店舗の周辺でもよく、当該利用店舗のチェーン店あるいは当該利用店舗に関連する店舗の周辺でもよい。さらには、当該利用店舗の競合店の周辺であってもよい。したがって、カードの利用店舗履歴には、当該利用店舗の業種や提供商品または提供役務、関連店舗などに関する情報を合わせて登録しておくのがよい。
【０１１２】
また、場所に関する情報は、利用者からのリクエストに応じて設定するようにしてもよい。その場合でも、リクエストによる告知場所のほかに、ランダムに告知場所を設定するようにしてよい。
【０１１３】
その他の条件に関する情報は、具体的には、たとえば、日時に関する情報と場所に関する情報のＡＮＤ条件などである。すなわち、日時に関する条件と場所に関する条件が両方満たされた場合を告知条件としてもよい。
【０１１４】
また、その他の条件に関する情報としては、図示は省略するが、天気であったり（具体的には、快晴の場合や、雨が降っている場合あるいは雨が降っていない場合など）、気温であったり（具体的には、最高気温が２５度を上回った場合や、最低気温が０度を下回った場合など）してもよい。
【０１１５】
また、その他の条件に関する情報としては、図示は省略するが、利用端末装置１０２が取得した各種の情報であってもよい。利用端末装置１０２が取得した各種の情報としては、たとえば、利用者端末装置１０２が備えるマイクから取得した音声情報などであってもよい。
【０１１６】
当該音声情報の一例として、たとえば、利用者またはあらかじめ登録された利用者以外の者（たとえば利用者の友人など）が声を発した『暑いなあ』、『疲れた』など、あらかじめ登録された音声情報のいずれかであってもよく、あるいは、それらのあらかじめ登録された２つ以上の音声情報の所定の組み合わせであってもよい。
【０１１７】
さらには、これらの音声情報と、上述した日時に関する情報、場所に関する情報との組み合わせであってもよい。具体的には、夕方の所定の日時において『疲れた』という音声情報を取得した場合であってもよい。また、利用者と利用者以外の者の両者が所定の時間間隔で（たとえば連続して、または、ほぼ同時に）、『疲れた』という音声を発生した場合であってもよい。
【０１１８】
音声情報の取得は、具体的には、たとえば、通話による会話中において、利用者の音声を取得してもよい。その際、さらに会話中の相手の電話番号などから通話相手を特定し、特定の通話相手と特定の音声情報との組み合わせが一致した場合であってもよい。具体的には、通話頻度が比較的高い相手との会話中において『一杯やろうか』などの音声情報を取得した場合などである。
【０１１９】
また、音声情報の取得は、音声認識による検索アプリケーションを利用している際の利用者の音声を取得してもよい。その際、どのような音声がその他の条件として選択されたかが利用者にわからないように、その他の条件として対象となる音声をランダムに変更するようにするとよい。
【０１２０】
さらには、これらの音声情報と、上述した天候や気温の情報との組み合わせであってもよい。具体的には、所定の気温を上回った際に、『暑いなあ』との音声情報を取得した場合に限るようにしてもよい。そうすることで、『厚いなあ』や『熱いなあ』との違いを正確に認識することができる。
【０１２１】
また、音声情報の別の一例としては、海の波の音や、駅や空港などの公共施設におけるアナウンス音など、利用者が発した音声とは別に、利用者端末装置１０２マイクが取得（集音）した音声情報であってもよい。
【０１２２】
また、利用端末装置１０２が取得した各種の情報として、受信または送信したメールの内容・受信元・送信先、撮影した写真や動画の内容、起動させたアプリケーションの内容などであってもよい。
【０１２３】
図８Ｃは、この発明にかかる実施の形態の利用者端末装置１０２を含むカード携帯支援システム１００に接続された読取実績データベース２３３の内容の一例を示す説明図である。
【０１２４】
図８Ｃにおいて、読取実績データベース２３３は、利用者すなわち利用者端末ＩＤ（ユーザＩＤ）ごとに、実際に利用者に対して読み取りがおこなわれた実行日時に関する情報、実際に利用者に対して読み取りがおこなわれた際の利用者端末装置１０２の所在地である実行場所に関する情報、利用者に対しておこなわれた読み取りの結果である実行結果に関する情報が格納されている。読取実績データベース２３３に格納されるデータの全部または一部は、たとえば、利用者端末装置１０２を実現するコンピュータ装置が備えるメモリ２２２の所定の記憶領域に設けるようにしてもよい。
【０１２５】
図８Ｄは、この発明にかかる実施の形態の利用者端末装置１０２を含むカード携帯支援システム１００に接続された宣伝広告情報データベース２３４の内容の一例を示す説明図である。
【０１２６】
図８Ｄにおいて、宣伝広告情報データベース２３４は、宣伝広告の提供元である店舗の店舗ＩＤ（宣伝広告主ＩＤ）ごとに、宣伝広告の提供を実行する日時に関する情報、実行する場所に関する情報および宣伝広告の内容に関する情報が格納されている。宣伝広告情報データベース２３４に格納されるデータの全部または一部は、たとえば、利用者端末装置１０２を実現するコンピュータ装置が備えるメモリ２２２の所定の記憶領域に設けるようにしてもよい。
【０１２７】
図８Ｅは、この発明にかかる実施の形態の利用者端末装置１０２を含むカード携帯支援システム１００に接続されたポイント履歴データベース２３５の内容の一例を示す説明図である。
【０１２８】
図８Ｅにおいて、ポイント履歴データベース２３５は、利用者すなわち利用者端末ＩＤ（ユーザＩＤ）ごとに、ポイントを取得した日時に関する情報、今回、利用者が取得したポイント数に関する情報、これまでに利用者が取得した総ポイント数に関する情報が格納されている。ポイント履歴データベース２３５に格納されるデータの全部または一部は、たとえば、利用者端末装置１０２を実現するコンピュータ装置が備えるメモリ２２２の所定の記憶領域に設けるようにしてもよい。
【０１２９】
（利用者端末装置の表示画面の一例）
つぎに、利用者端末装置１０２の表示画面の内容について説明する。図９〜図１４は、この発明にかかる実施の形態の利用者端末装置１０２の表示画面の一例を示す説明図である。
【０１３０】
図９は、利用者端末装置１０２の告知部４０２が、所定の条件に基づいて、利用者に対して、カード１０５の読取部４０１による読み取りを促した状態を示している。図９においては、利用者端末装置１０２の表示画面には、読み取りを促す「お知らせ」が、利用者端末装置１０２に備えられたアラーム、バイブレーションなどとともに表示される。それと同時に、利用者端末装置１０２に備えられたカメラが起動し、撮影が可能な状態となるようにしてもよい。
【０１３１】
図９において、表示画面には、『＜お知らせ＞  今から９０秒以内に○○カードのバーコードをカメラで読み取ってください』と表示される。その表示の状態において、利用者は、○○カード１０５を取り出して、○○カード１０５の図３Ｂに示したバーコード３１２をカメラで撮影し、表示された矩形９０１内に、表示画面内に映し出されたバーコード３１２が収まるように、利用者端末装置１０２のカメラの向きおよび○○カード１０５までの距離を調整する。
【０１３２】
それにより、○○カード１０５のバーコード３１２が読み取られ、読み取りが成功する。すなわち、利用者端末装置１０２の判断部４０３は、○○カード１０５の読み取りが成功した（○○カード１０５を持参している）と判断する。
【０１３３】
一方、利用者は、○○カードを持参していない場合は、この表示画面を消去するか、利用者端末装置１０２のカメラをオフにするか、「持っていない」ボタン９０２にタッチする。これによって、利用者端末装置１０２の判断部４０３は、○○カード１０５の読み取りが失敗した（○○カード１０５を持参していない）と判断する。
【０１３４】
図１０は、宣伝広告情報提供部４０５が、判断部４０３による判断結果に基づいて、所定時間内に所定の情報を読み取った場合（読み取りに成功した場合）に、所定の宣伝広告情報を利用者に提供するとともに、付与ポイント決定部４０６が、判断部４０３による判断結果に基づいて決定した、利用者に付与するポイントに関する情報を表示した状態を示している。
【０１３５】
図１０において、表示画面には、『＜読み取り成功です＞』と表示して、読み取りが成功したことを利用者に示すとともに、獲得したポイントを表示する（『獲得ポイント１０ｐｔ』）。また、今回の獲得ポイントによって今までに得られた獲得総ポイントも表示する（『獲得総ポイントは５４３２ポイントです』）。
【０１３６】
また、図１０において、読み取りが成功したことによって、利用者に対して特別割引クーポンが発行されたことを表示する。特別割引クーポンは、「クーポン」ボタン９０３にタッチすることによって、そのクーポンの具体的な内容について別途表示画面に表示することができたり、そのクーポンを利用者端末装置１０２内または当該利用者端末装置１０２と関連付けされたサーバなどの所定の記憶領域に保存することができるようにしてもよい。
【０１３７】
図１０に示した「読み取り成功」の表示画面に対して、図１１は、「読み取り失敗」の表示画面である。すなわち、宣伝広告情報提供部４０５が、判断部４０３による判断結果に基づいて、所定時間（９０秒）内に所定の情報が読み取られなかった場合（読み取りに失敗した場合）に、所定の宣伝広告情報を利用者に提供するとともに、付与ポイント決定部４０６が、判断部４０３による判断結果に基づいて決定した、利用者に付与するポイントに関する情報を表示した状態を示している。
【０１３８】
図１１において、表示画面には、『＜読み取り失敗です＞』と表示して、読み取りが失敗したことを示すとともに、獲得したポイントを表示する（読み取り失敗なので、『獲得ポイント０ｐｔ』）。また、今回の獲得ポイントによって今までに得られた獲得総ポイントも表示する（『獲得総ポイントは５４３２ポイントです』）。
【０１３９】
また、図１１において、『＜残念＞』、『もし、読み取りに（○○カードを持参していて）成功していれば、特別割引クーポンを差し上げる予定でした（が、読み取りに失敗したので今回は、特別割引クーポンは差し上げません）』と表示して、読み取りが成功していれば発行されたであろう特別割引クーポンの内容を利用者に伝える。そして、『次回はぜひ○○カードを持参し、読み取りを成功させてください』と表示することで、利用者に残念な思いを抱かせて、それによって、今後の○○カードの所持を促す広告宣伝をおこなうことができる。
【０１４０】
図１２も、図１１に示した表示画面と同様に、「読み取り失敗」の表示画面である。すなわち、宣伝広告情報提供部４０５が、判断部４０３による判断結果に基づいて、所定時間（９０秒）内に所定の情報が読み取られなかった場合（読み取りに失敗した場合）に、所定の宣伝広告情報を利用者に提供するとともに、付与ポイント決定部４０６が、判断部４０３による判断結果に基づいて決定した、利用者に付与するポイントに関する情報を表示した状態を示している。
【０１４１】
図１１に示した表示画面と図１２に示す表示画面との違いは、図１１に示した表示画面は、読み取りに失敗した際に表示される表示画面であるのに対して、図１２に示す表示画面は、読み取りに失敗した際ではなく、その後しばらくして、具体的には、利用者が自宅へ帰宅したであろう夜間の所定の時刻に表示するものである。
【０１４２】
すなわち、図１２においては、『＜お知らせ＞』、『本日、○○カードの読み取りに成功していれば、獲得できた特典の一覧です』と表示して、その一覧表を表示する。一覧表の右端には、スクロールバーを表示するようにして、一覧の内容が多い場合には、スクロールすることによって、全ての内容を表示できるようにするとよい。
【０１４３】
また、図１２において、『＜残念＞』、『明日はぜひ○○カードを持参し、読み取りを成功させて、多くの特典を獲得ください』と表示することで、利用者に残念な思いを抱かせて、○○カード１０５の所持を促す広告宣伝をおこなうことができる。特に、図１２の表示画面は、夜間、すなわち自宅にいる際に表示される確率を高くしている。
【０１４４】
したがって、利用者は、この図１２の表示画面を見ることによって、自宅に保管している○○カード１０５をすぐに自らの財布などに入れて、翌日以降の特典の獲得をめざすであろうことが十分予測される。それによって、○○カード１０５の携行率をより向上させることができる。
【０１４５】
図１３は、図１２の表示画面と同様に、一日の終わりの夜間の所定の時刻に表示する表示画面である。図１３において、『＜お知らせ＞』、『本日の移動距離：１５ｋｍ』と表示して、本日の利用者の移動距離を利用者に示す。移動距離は、たとえば、利用者端末装置１０２に搭載されているＧＰＳ２２３を用いて定期的に利用者端末装置１０２の位置情報を取得して蓄積し、当該位置情報に基づいて推測することができる。
【０１４６】
また、図１３において、『本日の移動時間：１３時間』と表示して、本日の利用者の移動時間を利用者に示す。移動時間は、たとえば、朝に自宅などの所定の位置を出発した時刻と、夜に当該位置に戻ってきた時刻とに基づいて推測することができる。
【０１４７】
また、図１３において、『利用金額  ０円』と表示して、○○カード１０５が利用されなかったことを利用者に示す。
【０１４８】
また、図１３において、『＜残念＞』、『○○カードの読み取りに成功していれば、獲得できたポイントは１５０ポイントでした』、『○○カード利用２０００円以上でさらに２００ポイントでした』、『明日はぜひ○○カードを持参し、読み取りを成功させて、ポイントを獲得してください』と表示することで、獲得し損なったポイント数を利用者に示し、利用者に残念な思いを抱かせて、○○カード１０５の所持を促す広告宣伝をおこなうことができる。
【０１４９】
図１４は、図１２の表示画面において示した特典一覧にかかる店舗を、利用者が移動した経路とともに地図表示した状態を示している。このように、地図表示することによって、利用者は、本日立ち寄らなかった店舗の位置を容易に確認することができ、次回に利用する際の参考とすることができる。これにより、広告宣伝の実効性をより高めることができる。
【０１５０】
以上説明したように、この発明にかかる実施の形態の利用者端末装置１０２は、利用者の所定の操作によって、カードに付随する所定の情報を読み取る読取部４０１と、所定の条件に基づいて、利用者に対して、カードの読取部４０１による読み取りを促す告知部４０２と、告知部４０２によって読み取りを促してから所定時間内に、読取部４０２が所定の情報を読み取ったか否かを判断する判断部４０３と、判断部４０３による判断結果に関する情報を記憶する記憶部４０４と、を備える構成となっている。
【０１５１】
また、この発明にかかる実施の形態の利用者端末装置１０２に実行させるカード携帯支援プログラムは、利用者端末装置１０２に、所定の条件に基づいて、利用者に対して、当該利用者の所定の操作による、カードに付随する所定の情報の当該利用者端末装置１０２への読み取りを促させ、読み取りを促してから所定時間内に所定の情報が読み取られたか否かを判断させ、当該判断結果に関する情報を保存させる構成となっている。
【０１５２】
また、この発明にかかる実施の形態の利用者端末装置１０２を用いたカード携帯支援方法は、利用者端末装置１０２が、所定の条件に基づいて、利用者に対して、当該利用者の所定の操作による、カードに付随する所定の情報の当該利用者端末装置１０２への読み取りを促し、読み取りを促してから所定時間内に所定の情報が読み取られたか否かを判断し、当該判断結果に関する情報を保存する構成となっている。
【０１５３】
このように構成することによって、この発明にかかる実施の形態の利用者端末装置１０２、当該利用者端末装置１０２に実行させるカード携帯支援プログラム、利用者端末装置１０２を用いたカード携帯支援方法によれば、利用者がカードを携行しているかを容易に把握することができるとともに、利用者のカードの携行を促進することができる。
【０１５４】
また、この発明にかかる実施の形態の利用者端末装置１０２は、告知部４０２が、カードに付随する所定の情報の当該利用者端末装置１０２への読み取りの促しを、利用者ごとに、ランダムにおこなう構成となっている。また、この発明にかかる実施の形態の利用者端末装置１０２に実行させるカード携帯支援プログラムは、カードに付随する所定の情報の利用者端末装置１０２への読み取りの促しを、前記利用者ごとに、ランダムにおこなわせる構成となっている。
【０１５５】
このように構成することによって、利用者にとっては、いつどこで読み取りの促しがあるか予測しづらい。それにより、利用者に常にカードを携行させるようにすることができる。
【０１５６】
また、この発明にかかる実施の形態の利用者端末装置１０２は、告知部４０２が、カードに付随する所定の情報の当該利用者端末装置１０２への読み取りの促しを、所定の日時になった場合におこなう構成となっている。また、この発明にかかる実施の形態の利用者端末装置１０２に実行させるカード携帯支援プログラムは、カードに付随する所定の情報の利用者端末装置１０２への読み取りの促しを、所定の日時になった場合におこなわせる構成となっている。
【０１５７】
このように構成することによって、カード会社あるいは店舗側が所望する日時において読み取りの促しをおこなわせることができるため、カード会社あるいは店舗側は、各利用者にカードを携行してほしいタイミングを効果的に操作することができる。
【０１５８】
また、この発明にかかる実施の形態の利用者端末装置１０２は、告知部４０２が、カードに付随する所定の情報の当該利用者端末装置１０２への読み取りの促しを、利用者が所定の場所に至った場合におこなう構成となっている。また、この発明にかかる実施の形態の利用者端末装置１０２に実行させるカード携帯支援プログラムは、カードに付随する所定の情報の利用者端末装置１０２への読み取りの促しを、利用者が所定の場所に至った場合におこなわせる構成となっている。
【０１５９】
このように構成することによって、カード会社あるいは店舗側が所望する場所において読み取りの促しをおこなわせることができるため、カード会社あるいは店舗側は、各利用者にカードを携行してほしいタイミングを効果的に操作することができる。
【０１６０】
また、この発明にかかる実施の形態の利用者端末装置１０２は、判断部４０３による判断結果に基づいて、所定時間内に所定の情報を読み取った場合に、所定の宣伝広告情報を前記利用者に提供する宣伝広告情報提供部４０５を備える構成となっている。また、この発明にかかる実施の形態の利用者端末装置１０２に実行させるカード携帯支援プログラムは、判断部４０３による判断結果に基づいて、所定時間内に所定の情報を読み取った場合に、所定の宣伝広告情報を前記利用者に提供させる構成となっている。
【０１６１】
このように構成することによって、カード会社あるいは店舗側が、カードの携行を促進させ、ひいてはカードの利用を促進させるような効果的な宣伝広告を利用者に提供することができる。
【０１６２】
また、この発明にかかる実施の形態の利用者端末装置１０２は、判断部４０３による判断結果に基づいて、所定時間内に所定の情報を読み取らなかった場合に、所定の宣伝広告情報を前記利用者に提供する宣伝広告情報提供部４０５を備える構成となっている。また、この発明にかかる実施の形態の利用者端末装置１０２に実行させるカード携帯支援プログラムは、判断部４０３による判断結果に基づいて、所定時間内に所定の情報を読み取った場合に、所定の宣伝広告情報を前記利用者に提供させる構成となっている。
【０１６３】
このように構成することによって、次回、カードを携行させ、カードの利用を促進させるような効果的な宣伝広告を利用者に提供することができる。
【０１６４】
また、この発明にかかる実施の形態の利用者端末装置１０２は、判断部４０３による判断結果に基づいて、利用者に付与するポイントを決定する付与ポイント決定部４０６を備える構成となっている。また、この発明にかかる実施の形態の利用者端末装置１０２に実行させるカード携帯支援プログラムは、利用者端末装置１０２に、利用者に付与するポイントを決定させる構成となっている。
【０１６５】
このように構成することによって、今回または次回以降に、利用者が特典を享受できることで、利用者による当該カードの携行の促進、ひいては当該カードの利用の促進を図ることができる。
【０１６６】
なお、この実施の形態で説明したカード携帯支援方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１６７】
以上のように、この発明にかかる利用者端末装置、カード携帯支援プログラムおよびカード携帯支援方法は、カードの携行、当該カードの利用を促進する利用者端末装置、カード携帯支援プログラムおよびカード携帯支援方法に適している。
【符号の説明】
【０１６８】
１００  カード携帯支援システム
１０１  サーバ
１０２  利用者端末装置
１０３  カード会社サーバ
１０４  各種データベース
１０５  カード
２３１  利用者データベース
２３２  告知条件データベース
２３３  読取実績データベース
２３４  宣伝広告情報データベース
２３５  ポイント履歴データベース
４０１  読取部
４０２  告知部
４０３  判断部
４０４  記憶部
４０５  宣伝広告情報提供部
４０６  付与ポイント決定部
【図１】
2018097546.tif 000003
【図２Ａ】
2018097546.tif 000004
【図２Ｂ】
2018097546.tif 000005
【図２Ｃ】
2018097546.tif 000006
【図３Ａ】
2018097546.tif 000007
【図３Ｂ】
2018097546.tif 000008
【図４】
2018097546.tif 000009
【図５】
2018097546.tif 000010
【図６Ａ】
2018097546.tif 000011
【図６Ｂ】
2018097546.tif 000012
【図７】
2018097546.tif 000013
【図８Ａ】
2018097546.tif 000014
【図８Ｂ】
2018097546.tif 000015
【図８Ｃ】
2018097546.tif 000016
【図８Ｄ】
2018097546.tif 000017
【図８Ｅ】
2018097546.tif 000018
【図９】
2018097546.tif 000019
【図１０】
2018097546.tif 000020
【図１１】
2018097546.tif 000021
【図１２】
2018097546.tif 000022
【図１３】
2018097546.tif 000023
【図１４】
2018097546.tif 000024